(57)【要約】      （修正有）【課題】より簡便に取り扱うことができ、しかも落下防止構造を簡素化して、製造に要するコストを削減できるコンパクトを提供する。【解決手段】容器本体１と、容器本体１の開口面を開閉する蓋体とを備えている。容器本体１は、底壁５と、底壁５に連続する隅部分６と、該隅部分６に連続して上向きに立ち上がる周囲壁７とで上向きに開口する皿状に形成する。容器本体１の周面に、親指をあてがうための指掛け部３１と、中指、薬指、小指をあてがうための指掛け部３２・３３・３４をそれぞれ凹み形成する。各指掛け部３１〜３４は、隅部分６と、該隅部分６に隣接する底壁５の周縁寄りと、隅部分６に隣接する周囲壁７の下部とにわたって凹弧面状に凹み形成する。【選択図】図３
0003162075.tif 000002
【実用新案登録請求の範囲】
【請求項１】
容器本体（１）と、容器本体（１）の開口面を開閉する蓋体（２）とを備えており、
容器本体（１）は、底壁（５）と、底壁（５）に連続する隅部分（６）と、隅部分（６）に連続して上向きに立ち上がる周囲壁（７）とで上向きに開口する皿状に形成されており、
隅部分（６）を含む容器本体（１）の周面に、複数の指掛け部（３１〜３４）が凹み形成してあることを特徴とするコンパクト。
【請求項２】
容器本体（１）と蓋体（２）とはヒンジ軸（１８）で連結されて、蓋体（２）がヒンジ軸（１８）の回りに揺動開閉可能に支持されており、
ヒンジ軸（１８）と直交し、容器本体（１）の左右中央を通る仮想中心軸（Ｐ）を想定するとき、
仮想中心軸（Ｐ）で分割される左右いずれか一方の容器本体（１）の周面に、親指をあてがうための指掛け部（３１）が凹み形成され、他方の容器本体（１）の周面に、人差し指、中指、薬指、小指の少なくともひとつをあてがうための指掛け部（３２・３３・３４）が凹み形成してある請求項１に記載のコンパクト。
【請求項３】
容器本体（１）の周面に、親指をあてがうための指掛け部（３１）と、中指、薬指、小指をあてがうための指掛け部（３２・３３・３４）が、それぞれ凹弧面状に凹み形成してある請求項２に記載のコンパクト。
【請求項４】
指掛け部（３１〜３４）が、隅部分（６）と、隅部分（６）に隣接する底壁（５）の周縁寄りと、隅部分（６）に隣接する周囲壁（７）の下部とにわたって凹み形成してある請求項２または３に記載のコンパクト。
【請求項５】
指掛け部（３１〜３４）の凹面に滑り止め（３７）が設けられており、
滑り止め（３７）が、容器本体の成形時に形成される突起、凹部、リブ、格子、あるいは指掛け部（３１〜３４）の凹面に固定される摩擦体のいずれかで形成してある請求項２、３または４のいずれかひとつに記載のコンパクト。
【請求項６】
指掛け部（３１〜３４）の外形が花弁状に形成されており、
指掛け部（３１〜３４）の最凹部が花弁形状の概ね中央に設けてある請求項２から５のいずれかひとつに記載のコンパクト。
【考案の詳細な説明】
【技術分野】
【０００１】
本考案は、おしろいなどの化粧料を収容するコンパクトに関し、なかでも落下防止構造を備えているコンパクトに関する。
【背景技術】
【０００２】
コンパクトは、化粧料を収容する皿状の容器本体と、容器本体の開口面を開閉する蓋体などで構成してあり、殆どの容器本体および蓋体は、それぞれプラスチック成形品で構成してある。両者の表面は、清潔感や、上品さ、あるいは豪華さなどの外観上の印象を強調するために鏡面状に仕上げてある。そのため、容器本体および蓋体の表面は滑りやすく、使用する際にコンパクトを誤って取り落とし、その一部が破損し、あるいは蓋が開いてパフやおしろいが散乱することがある。とくに、手袋を装着した状態のままでコンパクトを扱う場合には、容器本体が滑りやすく、コンパクトを取り落としやすい。
【０００３】
コンパクトに落下防止構造を付加してコンパクトの滑落を防ぐことは、たとえば特許文献１に公知である。そこでは、容器本体の底面にリング状の把手を起伏自在に設けておき、底面から起立させた把持リングに、中指や人差し指を差し込んだ状態で容器本体を掴み保持できるようにしてある。
【０００４】
同様の落下防止構造は、特許文献２にも開示してある。そこでは、チェーンの両端を容器本体の前面に固定し、輪奈状のチェーンに手首を通した状態で容器本体を保持できるようにしている。
【先行技術文献】
【特許文献】
【０００５】
【特許文献１】特開２００５−２７８７２２号公報（段落番号００１９、図４）
【特許文献２】特開２００１−１９７９２９号公報（段落番号００１４、図１）
【考案の概要】
【考案が解決しようとする課題】
【０００６】
特許文献１のコンパクトによれば、把持リングに指を通した状態で容器本体を保持している限り、容器本体が滑落することはない。しかし、コンパクトを使用するごとに、把持リングを容器本体に対して起伏操作し、あるいは中指や人差し指を把持リングに出し入れしなければならず、一連の手間が煩わしい。また、容器本体や蓋体とは別に、把手と、把手を容器本体に装着するための連結構造等が不可欠であるため、コンパクトの構造が複雑になり、全体コストが高くなるのを避けられない。さらに、容器本体の底壁に不使用時の把持リングを収容するので、底壁が分厚くなるのを避けられない。
【０００７】
その点、特許文献２のコンパクトでは、容器本体の前面に装着した輪奈状のチェーンでコンパクトの落下を防ぐので、特許文献１のコンパクトとは異なり、落下防止構造を簡素化できる。また、チェーンがデザイン上のアクセントになっておしゃれな印象を醸し、あるいは外観上の印象を豪華にできる。しかし、チェーンがコンパクトの外面に常に露出しているので、たとえばコンパクトをバッグに収納した状態で携行するような場合に、コンパクトの表面がチェーンと擦れ合って傷付き、表面の光沢が損なわれるおそれがある。
【０００８】
本考案の目的は、煩わしさを伴なうこともなく簡便に取り扱うことができ、しかも落下防止構造を簡素化して、その製造に要するコストを抑止できるコンパクトを提供することにある。
【課題を解決するための手段】
【０００９】
本考案に係るコンパクトは、容器本体１と、容器本体１の開口面を開閉する蓋体２とを備えている。容器本体１は、底壁５と、底壁５に連続する隅部分６と、隅部分６に連続して上向きに立ち上がる周囲壁７とで上向きに開口する皿状に形成する。隅部分６を含む容器本体１の周面に、複数の指掛け部３１〜３４が凹み形成してあることを特徴とする。
【００１０】
容器本体１と蓋体２とはヒンジ軸１８で連結して、蓋体２をヒンジ軸１８の回りに揺動開閉可能に支持する。ヒンジ軸１８と直交し、容器本体１の左右中央を通る仮想中心軸Ｐを想定するとき、仮想中心軸Ｐで分割される左右いずれか一方の容器本体１の周面に、親指をあてがうための指掛け部３１を凹み形成する。他方の容器本体１の周面に、人差し指、中指、薬指、小指の少なくともひとつをあてがうための指掛け部３２・３３・３４を凹み形成する。
【００１１】
容器本体１の周面に、親指をあてがうための指掛け部３１と、中指、薬指、小指をあてがうための指掛け部３２・３３・３４を、それぞれ凹弧面状に凹み形成する。
【００１２】
指掛け部３１〜３４は、隅部分６と、隅部分６に隣接する底壁５の周縁寄りと、隅部分６に隣接する周囲壁７の下部とにわたって凹み形成する。
【００１３】
指掛け部３１〜３４の凹面に滑り止め３７を設ける。滑り止め３７は、容器本体１の成形時に形成される突起、凹部、リブ、格子、あるいは指掛け部３１〜３４の凹面に固定される摩擦体のいずれかで形成する。
【００１４】
指掛け部３１〜３４の外形を花弁状に形成する。指掛け部３１〜３４の最凹部を花弁形状の概ね中央に設ける。
【考案の効果】
【００１５】
本考案のコンパクトにおいては、底壁５と、周囲壁７と、両者５・７の隅部分６とで容器本体１を皿状に形成し、隅部分６を含む容器本体１の周面に複数の指掛け部３１〜３４を凹み形成するようにした。このように、容器本体１の周面に複数の指掛け部３１〜３４を設けると、各指掛け部３１〜３４に指先をあてがうことにより、容器本体１を安定した状態で確りと掴み保持でき、したがって、コンパクトの使用時に、容器本体を誤って取り落とすのをよく防止できる。また、把持リングに指を通し、あるいは輪奈状のチェーンに手首を差し込むなどの煩わしい操作を行なう必要がないので、コンパクトの取り扱いを容易化できる。さらに、容器本体１の周面に設けた複数の指掛け部３１〜３４で落下防止を行なうので、把持リングやチェーンで落下防止を行なう従来の落下防止構造に比べて、コンパクトの構造を簡素化して、その分だけ製造に要するコストを抑止できる。
【００１６】
仮想中心軸Ｐで分割される一方の容器本体１の周面に、親指用の指掛け部３１を形成し、他方の容器本体１の周面に残る四指の少なくともひとつの指掛け部３２・３３・３４を凹み形成すると、容器本体１の対向する周面を少なくとも２本の指で確実に掴むことができる。また、容器本体１の対向する周面を掴むことにより、コンパクトをより安定した状態で支持して、さらに的確に落下防止を行なえる。
【００１７】
容器本体１の周面に、親指用の指掛け部３１と、中指、薬指、小指用の指掛け部３２・３３・３４をそれぞれ凹み形成すると、四指で容器本体１を掴み保持できるので、さらに安定した状態でコンパクトを確実に掴み保持して、その落下をさらに確実に防止できる。また、各指掛け部３１〜３４で各指の掴み位置を特定できるので、とくに意識をする必要もなく容器本体１の周面の好適な位置を四指で掴み保持できる。
【００１８】
隅部分６と、底壁５の周縁寄りと、周囲壁７の下部とにわたって指掛け部３１〜３４を凹み形成すると、容器本体１の目に付きにくい位置に指掛け部３１〜３４を設けることができる。また、指掛け部３１〜３４を設けることによって、容器本体１の外郭形状が大きく変化することもないので、外観上のデザインが重視されるコンパクトにおいて、指掛け部３１〜３４によって外観上の印象が損なわれるのを防止できる。
【００１９】
指掛け部３１〜３４の凹面に突起、凹部、リブ、格子などの滑り止め３７を設け、あるいは凹面に摩擦体を固定して滑り止め３７を構成すると、滑り止め３７で各指の指腹により大きな摩擦力を付与できる。したがって、より小さな力で容器本体１を掴み保持するような場合でも確実にコンパクトを保持でき、さらに、掴み保持したコンパクトがずれ動くのを滑り止め３７で確実に規制できる。
【００２０】
花弁状に形成した指掛け部３１〜３４の最凹部を花弁形状の概ね中央に設けると、各指掛け部３１〜３４にあてがった指腹と指掛け部３１〜３４の密着面積を、最凹部において最大にでき、しかも容器本体１が指の軸線と直交する向きにずれ動くのをよく規制できる。したがって、容器本体１をさらに的確に掴み保持して、コンパクトの落下を防止できる。
【図面の簡単な説明】
【００２１】
【図１】本考案に係るコンパクトの使用例を示す平面図である。
【図２】蓋体および中蓋を開放した状態のコンパクトの側面図である。
【図３】コンパクトの底面図である。
【図４】図３におけるＡ−Ａ線断面図である。
【図５】別の実施例に係るコンパクトの使用例を示す平面図である。
【図６】別の実施例に係るコンパクトの蓋体を開放した状態の側面図である。
【図７】別の実施例に係るコンパクトの底面図である。
【図８】図７におけるＢ−Ｂ線断面図である。
【図９】本考案に係る指掛け凹部の別の実施例を示す要部の底面図である。
【考案を実施するための形態】
【００２２】
（実施例）  図１ないし図４は本考案に係るコンパクトの実施例を示す。本考案における前後、左右、上下とは、図１および図２に示す交差矢印と、各矢印の近傍に表示した前後、左右、上下の文字表示に従うこととする。図１および図２においてコンパクトは、容器本体１と、容器本体１の開口面を開閉する蓋体２、および中蓋３とで構成してあり、これらの各部材は、いずれもプラスチック材を射出成形して形成してある。
【００２３】
図４に示すように、容器本体１は、底壁５と、底壁５の周縁部に連続する隅部分６と、隅部分６に連続して上向きに立ち上がる周囲壁７とで上向きに開口する皿状に形成されており、上面から見るときの外形が卵形に形成してある。隅部分６は部分円弧状に丸めてある。容器本体１の内部に設けた収容部８には化粧料９が収容してある。化粧料９は専用の受皿１０に充填してあり、この受皿１０が収容部８に嵌め込んである。容器本体１の前周面の左右中央には、閉じ状態の蓋体２を係合保持するロック片１１と、ロック解除ボタン１２が設けてあり、容器本体１の後周面の左右中央にはヒンジ凹部１３が形成してある。
【００２４】
蓋体２は下向きに開口する皿状に形成されており、上面から見るときの外形が、容器本体１と同じ卵形に形成してある。蓋体２の後周面の左右中央にはヒンジ腕１５が一体に設けてあり、内面前部の左右中央には、先のロック片１１と係合するロック爪１６が一体に設けてある。蓋体２のヒンジ腕１５は、後述する中蓋３のヒンジ腕２４とともに容器本体１のヒンジ凹部１３に組み付けられて、ヒンジ軸１８で連結してある。これにより、蓋体２および中蓋３は、容器本体１に対してそれぞれ独立して揺動開閉できる。
【００２５】
中蓋３は、上面から見るときの外形が容器本体１よりひと回り小さな卵形に形成してあり、図４に示すように、閉じた状態の蓋体２と容器本体１とで区画される空間を上下に区分している。中蓋３の上面には、パフ２１を載置するための浅い凹部２２が設けてあり、化粧料９と正対する中蓋３の下面側には円形の鏡２３が固定してある。中蓋３の後周面の中央部の左右には２個のヒンジ腕２４が一体に設けてあり、これらのヒンジ腕２４はヒンジ軸１８を介して容器本体１に連結してある。先に説明した蓋体２のヒンジ腕２４は、中蓋３の左右のヒンジ腕２４の間に配置してある。
【００２６】
中蓋３および蓋体２を閉じた状態においては、容器本体１のロック片１１が蓋体２側のロック爪１６の後面側に係合して、蓋体２の開放が規制されている。この状態において、ロック解除ボタン１２の下縁側を押し込み操作すると、蓋体２側のロック爪１６がロック解除ボタン１２で押し上げられるため、ロック片１１とロック爪１６の係合状態が解除される。この後、図２に示すように、蓋体２を上開き揺動してパフ２１を取り出し、さらに中蓋３を上開き揺動して蓋体２の内面に沿わせることにより、化粧料９をパフ２１の表面に付着させ、鏡２３を覗き込みながら肌面に塗布することができる。
【００２７】
以上のように構成したコンパクトにおいて、容器本体１の周面に落下防止構造を設ける点に本考案の特徴がある。図２および図３に示すように、落下防止構造は、容器本体１の周面に設けた４個の指掛け部３１・３２・３３・３４からなる。４個の各指掛け部３１・３２・３３・３４は、記載順に親指、中指、薬指、小指をあてがうために設けてあり、次のように配置する。図１に示すように、ヒンジ軸１８と直交し容器本体１の左右中央を通る仮想中心軸Ｐを想定するとき、仮想中心軸Ｐで分割される左方の容器本体１の周面に、親指をあてがうための指掛け部３１を凹み形成する。また、仮想中心軸Ｐで分割される右方の容器本体１の周面に、中指用の指掛け部３２と、薬指用の指掛け部３３と、小指用の指掛け部３４を凹み形成する。なお、本実施例は左手でコンパクトを保持する場合を想定しており、右手でコンパクトを保持する場合には、各指掛け部３１・３２・３３・３４を、仮想中心軸Ｐを対称軸にして左右対称に配置するとよい。
【００２８】
図４に示すように、各指掛け部３１・３２・３３・３４は、容器本体１の隅部分６と、隅部分６に隣接する底壁５の周縁寄りと、隅部分６に隣接する周囲壁７の下部とにわたって凹み形成する。各指掛け部３１・３２・３３・３４の外形は、容器本体１の底面側から見て花弁状に形成し（図３参照）、最も深い凹部（最凹部）の位置が、花弁形状の概ね中央に位置するように凹弧面状に形成してある。また、親指用の指掛け部３１と中指用の指掛け部３２は、ヒンジ軸１８の近傍の容器周面に形成し、薬指用の指掛け部３３は容器周面の概ね前後中央に形成し、小指用の指掛け部３４は親指用の指掛け部３１と対向する容器周面に形成してある。
【００２９】
以上のように、各指掛け部３１・３２・３３・３４を容器本体１の周面に分散配置したコンパクトによれば、容器本体１を片手で掴むだけで親指、中指、薬指、小指を各指掛け部３１・３２・３３・３４にあてがって、コンパクトを安定した状態で確りと掴み保持できる。また、各指掛け部３１・３２・３３・３４の最凹部を花弁形状の概ね中央に位置させることにより、各指の指腹を各指掛け部３１・３２・３３・３４の最凹部にあてがって、両者の密着面積を大きくし容器本体１を滑りにくい状態で確実に掴み保持できる。
【００３０】
さらに、落下防止構造を備えた従来のコンパクトにおいて避けられなかった、把持リングに指を通し、あるいは輪奈状のチェーンに手首を差し込むなどの煩わしい操作を行なう必要がなく、したがってコンパクトの取り扱いを容易化できる。落下防止構造を構成する各指掛け部３１・３２・３３・３４を、容器本体１を成形する過程で同時に形成できる。また、把持リングや輪奈状のチェーンで落下防止を行なう従来のコンパクトに比べて、落下防止構造を著しく簡素化して、その分だけコンパクトの製造に要するコストを抑止でき、さらに、容器本体１の底壁５を薄く形成できる利点もある。容器本体１の周囲に設けた４個の指掛け部３１・３２・３３・３４で落下防止構造を構成するので、コンパクトの表面が落下防止構造で傷付けられることもない。
【００３１】
図５ないし図８は、本考案に係るコンパクトの別の実施例を示す。そこでは、容器本体１と、容器本体１の開口面を開閉する蓋体２とでコンパクトを構成して、上記の実施例における中蓋３を省略した。また、容器本体１と蓋体２とは、それぞれ上面から見るときの外形を横長四角形状にした。容器本体１の内部には、化粧料９を収容する収容部８と、パフ２１を収容する凹部２２とが隣接して区画してある。蓋体２の内面には、横長四角形状の鏡２３が固定してある。容器本体１の隅部分６は面取り状の平端面で形成してある。
【００３２】
上記のように、横長四角形状に形成した容器本体１においては、４個の指掛け部３１・３２・３３・３４を次のように配置した。親指用の指掛け部３１は容器本体１の左辺部周面の後部寄りに、中指用の指掛け部３２は容器本体１の右辺部周面の後部寄りに、薬指用の指掛け部３３は容器本体１の右辺部周面の前後中途部に、小指用の指掛け部３４は容器本体１の右辺部周面の前部寄りに配置した。また、各指掛け部３１・３２・３３・３４は、容器本体１の隅部分６と、隅部分６に隣接する周囲壁７の下部とにわたって凹み形成するようにした。他は先の実施例と同じであるので、同じ部材に同じ符号を付して、その説明を省略する。なお、右手でコンパクトを保持する場合には、各指掛け部３１・３２・３３・３４を、仮想中心軸Ｐを対称軸にして左右対称に配置するとよい。
【００３３】
図９は指掛け部の別の実施例を示す。そこでは、各指掛け部３１・３２・３３・３４を凹弧面状に凹み形成したうえで、凹弧面にリブ状の滑り止め３７を形成して、各指の指腹により大きな摩擦力を付与できるようにした。リブ状の滑り止め３７は、容器本体１を成形する過程で同時に形成することができるので、リブ状の滑り止め３７を付加することで、コンパクトの製造に要するコストが増加することもない。なお、滑り止め３７は、複数個の突起、複数個の凹部、あるいは格子状の突起などで構成することができる。また、必要があれば、各指掛け部３１・３２・３３・３４の凹面に、別途形成した摩擦体を固定して滑り止め３７とすることができる。摩擦体は、ゴム、ゴム発泡体、エラストマー、エラストマー発泡体を素材にして、そのシートを打ち抜いて形成でき、あるいは先の素材を成形して形成することができる。
【００３４】
上記の実施例では、各指掛け部３１・３２・３３・３４の外形を花弁状に形成したが、その必要はなく、任意の形状に形成することができる。また、各指掛け部３１・３２・３３・３４は、容器本体１の隅部分６から周囲壁７の上部にわたって凹み形成することができる。容器本体１の周面には、中指用の指掛け部３２と薬指用の指掛け部３のいずれかひとつと、親指用の指掛け部３１の、少なくとも２個の指掛け部が形成してあればよい。また必要があれば、容器本体１の周面に人差し指用の指掛け部が設けてあってもよく、蓋体２に人差し指用の指掛け部が設けてあってもよい。各指掛け部３１・３２・３３・３４は凹弧面状に形成する以外に、全体が均一な凹み深さの凹部で形成することができる。
【符号の説明】
【００３５】
１  容器本体
２  蓋体
３  中蓋
５  底壁
６  隅部分
７  周囲壁
１８  ヒンジ軸
２１  パフ
２３  鏡
３１  親指用の指掛け部
３２  中指用の指掛け部
３３  薬指用の指掛け部
３４  小指用の指掛け部
Ｐ  仮想中心軸線
【図１】
0003162075.tif 000003
【図２】
0003162075.tif 000004
【図３】
0003162075.tif 000005
【図４】
0003162075.tif 000006
【図５】
0003162075.tif 000007
【図６】
0003162075.tif 000008
【図７】
0003162075.tif 000009
【図８】
0003162075.tif 000010
【図９】
0003162075.tif 000011